(57)【要約】【課題】車椅子利用者のみならず一般の乗客にも車椅子専用操作ボタンが操作されたときのエレベータの動作が容易に理解でき無用な車椅子専用操作ボタンの操作を無くすることができる車椅子仕様エレベータの報知装置を提供することである。【解決手段】エレベータの乗り場およびかご内に設置された車椅子専用操作ボタンが操作されたことを表示出力するための専用案内表示灯１５を設け、専用案内表示灯１５に表示する内容を予め記憶する記憶部１６を設け、制御部１７は車椅子専用操作ボタン１２が操作されたとき記憶部１６に記憶された表示出力内容を専用案内表示灯１５に表示出力する。【選択図】  図１
2004315174.tif 000002
【特許請求の範囲】
【請求項１】
エレベータの乗り場およびかご内に設置された車椅子専用操作ボタンが操作されたことを表示出力するための専用案内表示灯と、前記専用案内表示灯に表示する内容を予め記憶する記憶部と、前記車椅子専用操作ボタンが操作されたとき前記記憶部に記憶された表示出力内容を前記専用案内表示灯に表示出力する制御部とを備えたことを特徴とする車椅子仕様エレベータの報知装置。
【請求項２】
前記記憶部には前記車椅子専用操作ボタンが操作されたときのエレベータの動作説明を予め記憶しておき、前記制御部は前記専用案内表示灯に前記車椅子専用操作ボタンが操作されたとき前記記憶部に記憶されたエレベータの動作説明を表示出力することを特徴とする請求項１記載の車椅子仕様エレベータの報知装置。
【請求項３】
エレベータの乗り場およびかご内に設置された車椅子専用操作ボタンが操作されたことを音声出力するための専用案内スピーカと、前記専用案内スピーカに音声出力する内容を予め記憶する記憶部と、前記車椅子専用操作ボタンが操作されたとき前記記憶部に記憶された音声出力内容を前記専用案内スピーカに音声出力する制御部とを備えたことを特徴とする車椅子仕様エレベータの報知装置。
【請求項４】
前記記憶部には前記車椅子専用操作ボタンが操作されたときのエレベータの動作説明を予め記憶しておき、前記制御部は前記専用案内スピーカに前記車椅子専用操作ボタンが操作されたとき前記記憶部に記憶されたエレベータの動作説明を音声出力することを特徴とする請求項３記載の車椅子仕様エレベータの報知装置。
【請求項５】
前記記憶部には前記車椅子専用操作ボタンが操作されたときのエレベータの動作説明に加え、前記車椅子専用操作ボタンの操作解除の説明を予め記憶しておき、前記制御部は前記専用案内スピーカに前記車椅子専用操作ボタンが操作されたとき前記記憶部に記憶されたエレベータの動作説明および操作解除の説明を音声出力することを特徴とする請求項３記載の車椅子仕様エレベータの報知装置。
【請求項６】
前記制御部は、前記車椅子専用操作ボタンの操作が一定時間以上ない場合には、前記専用案内スピーカに前記車椅子専用操作ボタンが操作されたときのエレベータの動作説明および操作解除の説明を所定の時間間隔で音声出力することを特徴とする請求項５記載の車椅子仕様エレベータの報知装置。
【請求項７】
前記車椅子専用操作ボタンが操作されたときのエレベータの動作説明を表示した操作案内板を、前記車椅子専用操作ボタンの近傍に設置したことを特徴とする請求項１乃至請求項６のいずれか１項記載の車椅子仕様エレベータの報知装置。
【発明の詳細な説明】
【０００１】
【発明の属する技術分野】
本発明は、かご内や乗り場に車椅子専用操作ボタンを備えた車椅子仕様エレベータの報知装置に関する。
【０００２】
【従来の技術】
一般に、車椅子仕様のエレベータは車椅子に乗ったままで操作ボタンを操作することができるように、一般利用者が使用する通常の操作ボタンの位置よりも低い位置に車椅子専用操作ボタンが設けられている。この車椅子専用操作ボタンが操作されると、エレベータの戸開の時間を長くしたり、戸がゆっくり開いたりして車椅子利用者の便宜を図っている。
【０００３】
また、２台以上の群監理エレベータにおいては、操作された乗り場の車椅子専用操作ボタンが設置されている号機が必ず応答するなど車椅子利用者に対して利用し易くしている。
【０００４】
ここで、一般利用者がかご内の一般用かご呼びボタンを操作しないで誤操作あるいはいたずらで車椅子専用操作ボタンを操作することがある。その場合には、無用な戸開時間の延長による長待ちや２台以上の群管理のエレベータに対しては無用な乗り場呼びの発生に伴う運転効率の低下を招く原因になる。そこで、車椅子専用操作ボタンの誤操作を防止するために乗り場の車椅子専用操作ボタンを操作しかつかご内の車椅子専用操作ボタンを操作したときに初めてかご呼びを登録するようにしたものがある（例えば特許文献１参照）。
【０００５】
【特許文献１】
特開平６−５６３５８号公報
【０００６】
【発明が解決しようとする課題】
しかしながら、車椅子利用者の補助者が乗り場の通常の操作ボタンを操作して車椅子利用者がかご内に乗り込むことがあり、その場合には車椅子利用者がかご内の車椅子専用操作ボタンを操作したとしても操作が阻止されてしまう。一方、一般の乗客は車椅子エレベータの動作に対しての認知度が低く通常の操作ボタンと同じように利用することがあり、それにより無用な戸開時間の延長による長待ちや２台以上の群管理のエレベータに対しては無用な乗り場呼びの発生に伴う運転効率の低下を招くことになる。
【０００７】
本発明の目的は、車椅子利用者のみならず一般の乗客にも車椅子専用操作ボタンが操作されたときのエレベータの動作が容易に理解でき無用な車椅子専用操作ボタンの操作を無くすることができる車椅子仕様エレベータの報知装置を提供することである。
【０００８】
【課題を解決するための手段】
請求項１の発明に係わる車椅子仕様エレベータの報知装置は、エレベータの乗り場およびかご内に設置された車椅子専用操作ボタンが操作されたことを表示出力するための専用案内表示灯と、前記専用案内表示灯に表示する内容を予め記憶する記憶部と、前記車椅子専用操作ボタンが操作されたとき前記記憶部に記憶された表示出力内容を前記専用案内表示灯に表示出力する制御部とを備えたことを特徴とする。
【０００９】
請求項２の発明に係わる車椅子仕様エレベータの報知装置は、請求項１の発明において、前記記憶部には前記車椅子専用操作ボタンが操作されたときのエレベータの動作説明を予め記憶しておき、前記制御部は前記専用案内表示灯に前記車椅子専用操作ボタンが操作されたとき前記記憶部に記憶されたエレベータの動作説明を表示出力することを特徴とする。
【００１０】
請求項３の発明に係わる車椅子仕様エレベータの報知装置は、エレベータの乗り場およびかご内に設置された車椅子専用操作ボタンが操作されたことを音声出力するための専用案内スピーカと、前記専用案内スピーカに音声出力する内容を予め記憶する記憶部と、前記車椅子専用操作ボタンが操作されたとき前記記憶部に記憶された音声出力内容を前記専用案内スピーカに音声出力する制御部とを備えたことを特徴とする。
【００１１】
請求項４の発明に係わる車椅子仕様エレベータの報知装置は、請求項３の発明において、前記記憶部には前記車椅子専用操作ボタンが操作されたときのエレベータの動作説明を予め記憶しておき、前記制御部は前記専用案内スピーカに前記車椅子専用操作ボタンが操作されたとき前記記憶部に記憶されたエレベータの動作説明を音声出力することを特徴とする。
【００１２】
請求項５の発明に係わる車椅子仕様エレベータの報知装置は、請求項３の発明において、前記記憶部には前記車椅子専用操作ボタンが操作されたときのエレベータの動作説明に加え、前記車椅子専用操作ボタンの操作解除の説明を予め記憶しておき、前記制御部は前記専用案内スピーカに前記車椅子専用操作ボタンが操作されたとき前記記憶部に記憶されたエレベータの動作説明および操作解除の説明を音声出力することを特徴とする。
【００１３】
請求項６の発明に係わる車椅子仕様エレベータの報知装置は、請求項５の発明において、前記制御部は、前記車椅子専用操作ボタンの操作が一定時間以上ない場合には、前記専用案内スピーカに前記車椅子専用操作ボタンが操作されたときのエレベータの動作説明および操作解除の説明を所定の時間間隔で音声出力することを特徴とする。
【００１４】
請求項７の発明に係わる車椅子仕様エレベータの報知装置は、請求項１乃至請求項６のいずれか１項の発明において、前記車椅子専用操作ボタンが操作されたときのエレベータの動作説明を表示した操作案内板を、前記車椅子専用操作ボタンの近傍に設置したことを特徴とする。
【００１５】
【発明の実施の形態】
以下、本発明の実施の形態を説明する。図１は本発明の第１の実施の形態に係わる車椅子仕様エレベータの報知装置の構成図である。エレベータのかご内には車椅子専用操作盤１１が設けられており、車椅子専用操作盤１１には、車椅子利用者が行き先階を指定する車椅子専用操作ボタン１２や戸開ボタン１３が配置されている。また、車椅子専用操作盤１１には、車椅子専用操作ボタン１２が操作されたことを音声出力するための専用案内スピーカ１４が設置されている。一方、この車椅子専用操作盤１１の近傍には車椅子専用操作ボタン１２が操作されたことを表示出力するための専用案内表示灯１５が設けられている。
【００１６】
また、記憶部１６には専用案内スピーカ１４に音声出力する内容や専用案内表示灯１５に表示する内容が予め記憶されており、車椅子専用操作ボタン１２が操作されたとき、制御部１７は記憶部１６に記憶された表示出力内容を専用案内表示灯１５に表示出力すると共に専用案内スピーカ１４に音声出力する。
【００１７】
図２は、専用案内表示灯１５に表示された表示内容の説明図である。車椅子専用操作ボタン１２が操作されたとすると、かごの中に取り付けられている専用案内表示灯１５が点灯し、記憶部１６に予め記憶された表示内容が制御部１７により表示される。図２では、「車椅子運転中。戸開時間が長くなります。ドアがゆっくり開きます。」と表示された場合を示している。すなわち、記憶部１６には、車椅子運転中であることの説明「車椅子運転中」だけでなく、車椅子専用操作ボタン１２が操作されたときのエレベータの動作説明「戸開時間が長くなります。ドアがゆっくり開きます。」も予め記憶されている場合を示している。
【００１８】
また、同時に、車椅子専用操作盤１１に取り付けられている専用案内スピーカ１４から専用案内表示灯１５に表示された表示内容と同じ「車椅子運転中。戸開時間が長くなります。ドアがゆっくり開きます。」が音声出力される。これにより、車椅子利用者のみならず一般の乗客にも車椅子専用操作ボタンが操作されたときのエレベータの動作を適切に報知できる。
【００１９】
以上の説明では、専用案内表示灯１５および専用案内スピーカ１４の双方を設けた場合について説明したが、いずれか一方のみを設けるようにしても良い。また、記憶部１６には、車椅子運転中であることの説明「車椅子運転中」だけでなく、車椅子専用操作ボタン１２が操作されたときのエレベータの動作説明「戸開時間が長くなります。ドアがゆっくり開きます。」も予め記憶するようにしたが、車椅子運転中であることの説明「車椅子運転中」や「「車椅子専用ボタンが押されました。」だけを記憶するようにしても良い。この場合には、車椅子運転中であることの説明「車椅子運転中」や「「車椅子専用ボタンが押されました。」が専用案内スピーカ１４や専用案内表示灯１５に出力されることになる。
【００２０】
また、専用案内スピーカ１４を車椅子専用操作盤１１に組み込み設置した場合について説明したが、図３に示すように、専用案内スピーカ１４を車椅子専用操作盤１１以外に設けるようにしても良い。例えば、かごの天井部やかご枠に搭載するようにしても良い。
【００２１】
次に、本発明の第２の実施の形態を説明する。図４は本発明の第２の実施の形態に係わる車椅子仕様エレベータの報知装置の構成図である。この第２の実施の形態は、図１に示した第１の実施の形態に対し、かご内の車椅子専用操作盤１１に代えて、乗り場の乗り場操作盤１８に配置された車椅子専用操作ボタン１９に対して適用したものである。図１と同一要素には同一符号を付し重複する説明は省略する。
【００２２】
乗り場の乗り場操作盤１８には車椅子専用操作ボタン１９や通常の乗り場操作ボタン２０が設けられている。また、乗り場操作盤１８の近傍には、車椅子専用操作ボタン１９が操作されたことを音声出力するための専用案内スピーカ１４および車椅子専用操作ボタン１９が操作されたことを表示出力するための専用案内表示灯１５が設けられている。
【００２３】
乗り場の乗り場操作盤１８に配置されている車椅子専用操作ボタン１９が操作されたとすると、操作された階の乗り場に配置された専用案内表示灯１５が点灯し、記憶部１６に予め記憶された表示内容が制御部１７により表示される。また、同時に、車椅子専用操作盤１１に取り付けられている専用案内スピーカ１４から専用案内表示灯１５に表示された表示内容と同じ内容が音声出力される。
【００２４】
ここで、車椅子仕様エレベータが２台以上設置され群管理制御されている場合には、車椅子専用操作ボタン１９が操作された階の乗り場に、エレベータが必ず到着するように郡管理制御されるので、記憶部１６には、例えば「車椅子乗り場操作ボタンが押されました。このエレベータが応答いたします。」との内容を記憶しておき、専用案内スピーカ１４や専用案内表示灯１５にその旨の出力を行う。
【００２５】
また、第１の実施の形態または第２の実施の形態において、記憶部１６に車椅子専用操作ボタン１２、１９が操作されたときのエレベータの動作説明に加え、車椅子専用操作ボタン１２、１９の操作解除の説明を予め記憶しておき、車椅子専用操作ボタン１２、１９が操作されたとき記憶部１６に記憶されたエレベータの動作説明や操作解除の説明を専用案内スピーカ１４に音声出力するようにすることも可能である。例えば、車椅子専用操作ボタン１２、１９が操作された際に「車椅子専用操作ボタンが押されました。取り消す際は再度同じボタンを押してください。」と音声出力する。これにより、専用呼びのキャンセル機能を持たせることもでき、誤って一般の乗客が車椅子専用操作ボタン１２、１９を操作した場合であっても、それを取り消すことを促すことができるので、より運転効率の向上に役立つ。
【００２６】
また、車椅子専用操作ボタン１２、１９の操作が一定時間以上ない場合には、制御部１７は専用案内スピーカ１４に対して車椅子専用操作ボタン１２、１９が操作されたときのエレベータの動作説明や操作解除の説明を所定の時間間隔で音声出力するようにすることも可能である。すなわち、車椅子専用操作ボタン１２、１９が操作されたときだけではなく、通常のエレベータの運行時に、一定の時間間隔で車椅子仕様エレベータの利用方法を専用案内スピーカ１４から出力する。これにより、より強く車椅子仕様エレベータの利用方法をアピールすることができる。
【００２７】
また、車椅子専用操作ボタン１２、１９が操作されたときのエレベータの動作説明を表示した操作案内板を車椅子専用操作ボタン１２、１９の近傍に設置し、常時、車椅子専用操作ボタン１２、１９が操作されたときのエレベータの動作説明を乗客に報知するようにすることも可能である。
【００２８】
すなわち、操作案内板を車椅子仕様エレベータのかご内や乗り場に設け、図５に示すように、操作案内板２１に車椅子専用操作ボタン１２、１９を操作した際の車椅子仕様エレベータの動きを表示する。これにより、車椅子利用者はもとより一般の乗客も車椅子仕様エレベータの操作方法やその動きを理解することができるので、車椅子専用操作ボタン１２、１９をむやみに操作することが少なくなり、エレベータ全体の運転効率の向上につながる。
【００２９】
【発明の効果】
以上述べたように、本発明によれば、車椅子専用操作ボタンにより無駄な戸開時間の延長や無駄な乗場呼びを少なくすることができる。また、車椅子仕様エレベータに一度乗り込んだ一般の乗客は車椅子専用操作ボタンの意味を理解し易くしているので、車椅子専用操作ボタンを頻繁に操作することが少なくなり、エレベータ全体の運転効率の向上を促すことができる。
【００３０】
さらに別の建物でエレベータに乗り込んだ際にも車椅子専用操作ボタンや車椅子エレベータの使用方法を理解しているので、本当に必要な利用者のみが車椅子専用操作ボタンを操作することになり効率の良いエレベータの運行が可能となる。
【図面の簡単な説明】
【図１】本発明の第１の実施の形態に係わる車椅子仕様エレベータの報知装置の構成図。
【図２】本発明の第１の実施の形態における専用案内表示灯に表示された表示内容の説明図。
【図３】本発明の第１の実施の形態に係わる車椅子仕様エレベータの報知装置の他の一例を示す構成図。
【図４】本発明の第２の実施の形態に係わる車椅子仕様エレベータの報知装置の構成図。
【図５】本発明の実施の形態における操作案内板に表示された表示内容の説明図。
【符号の説明】
１１…車椅子専用操作盤、１２…車椅子専用操作ボタン、１３…戸開ボタン、１４…専用案内スピーカ、１５…専用案内表示灯、１６…記憶部、１７…制御部、１８…乗り場操作盤、１９…車椅子専用操作ボタン、２０…乗り場操作ボタン、２１…操作案内板
【図１】
2004315174.tif 000003
【図２】
2004315174.tif 000004
【図３】
2004315174.tif 000005
【図４】
2004315174.tif 000006
【図５】
2004315174.tif 000007